(57)【要約】【課題】  簡易に電解コンデンサの寿命を判断するエレベーター制御部に用いた電解コンデンサの寿命判断装置を得ること。【解決手段】  エレベーターを制御に関係するファン回路２０を有し、該ファン回路２０を制御盤２００内に実装される第１電解コンデンサ２３,２５と、第１電解コンデンサ２３,２５よりも耐久性が劣る共に、制御盤２００内に実装される第２電解コンデンサ２９と、第２電解コンデンサ２９の寿命が尽きたか否かを判定する判定器５０とを備えたものである。【選択図】      図２
2007204172.tif 000002
【特許請求の範囲】
【請求項１】
エレベーターの制御に関係すると共に、制御盤内に実装される第１電解コンデンサと、該第１電解コンデンサよりも耐久性が劣る共に、前記制御盤内に実装される第２電解コンデンサと、
前記第２電解コンデンサの寿命を、前記耐久性を示す指標に基づいて判定する判定手段と、
を備えたことを特徴とするエレベーター制御部に用いられる電解コンデンサの寿命判断装置。
【請求項２】
前記第２電解コンデンサが前記第１電解コンデンサよりも周囲温度が高くなる位置に設けられている、
ことを特徴とする請求項１に記載のエレベーター制御部に用いられる電解コンデンサの寿命判断装置。
【請求項３】
前記判定手段は、前記第２電解コンデンサの充電又は放電電圧値と時間との関係に基づいて前記第２電解コンデンサの前記寿命を判定する、
ことを特徴とする請求項１又は２に記載のエレベーター制御部に用いられる電解コンデンサの寿命判断装置。
【発明の詳細な説明】
【技術分野】
【０００１】
本発明は、エレベーター制御部に用いられる電解コンデンサの寿命判断装置に関するものである。
【背景技術】
【０００２】
従来の電解コンデンサの寿命判断装置は、下記特許文献１に記載のように電気・電子機器の本来の機能を発生させる本回路内に設けられた電解コンデンサの寿命を検出するのに、寿命評価対象となる電気・電子部品の電解コンデンサより寿命時間が短い（耐環境性の劣る）被試験部品の電解コンデンサを設ける。さらに、この該被試験部品電解コンデンサの寿命を検出する検出回路を設け、被試験部品の電解コンデンサの寿命を検出することによって寿命評価対象となる電気・電子部品の電解コンデンサの寿命を推定する。
かかる電解コンデンサの寿命判断装置によれば、本回路内の寿命評価対象となる電気・電子部品の電解コンデンサの寿命がつきる前にその寿命を推定することができる。
【特許文献１】特開２００４−３０９３７５号公報
【発明の開示】
【発明が解決しようとする課題】
【０００３】
しかし、上記電解コンデンサの寿命判断装置では、寿命評価対象となる電気・電子部品の電解コンデンサより寿命時間が短い（耐環境性の劣る）被試験部品の電解コンデンサを設けていたので、余分な寿命判定用の電解コンデンサを必要としていた。このため、寿命判定用の電解コンデンサを備えなければならず、実装スペースを余分に必要とすると共に、複雑な電解コンデンサの寿命判断装置になるという課題があった。
【０００４】
本発明は上記課題を解決するためになされたもので、寿命判定用の電解コンデンサを備えることなく、エレベーター制御部に実際に用いられている電解コンデンサを用いて、簡易に電解コンデンサの寿命を判断するエレベーター制御部に用いた電解コンデンサの寿命判断装置を提供することを目的とする。
【課題を解決するための手段】
【０００５】
第１の発明に係るエレベーター制御部に用いた電解コンデンサの寿命判断装置は、エレベーターの制御に関係すると共に、制御盤内に実装される第１電解コンデンサと、該第１電解コンデンサよりも耐久性が劣る共に、前記制御盤内に実装される第２電解コンデンサと、前記第２電解コンデンサの寿命を、前記耐久性を示す指標に基づいて判定する判定手段と、を備えたことを特徴とするものである。
【０００６】
第２の発明に係るエレベーター制御部に用いた電解コンデンサの寿命判断装置は、第２電解コンデンサが第１電解コンデンサよりも周囲温度が高くなる位置に設けられている、ことを特徴とするものである。
【０００７】
第３の発明に係るエレベーター制御部に用いた電解コンデンサの寿命判断装置おける判定手段は、第２電解コンデンサの充電又は放電電圧値と時間との関係に基づいて第２電解コンデンサの寿命を判定する、ことを特徴とするものである。
【発明の効果】
【０００８】
第１の発明によれば、判定手段が最も耐久性の劣る第２電解コンデンサの寿命が尽きたことを判定することにより、すべての電解コンデンサの寿命を判定することなく、制御盤内の電解コンデンサの寿命を判定できる。よって、実際にエレベーターの制御部に用いられている電解コンデンサを用いて、電解コンデンサの寿命を判定できるので、被試験部品としての電解コンデンサが不要になるという効果がある。
【０００９】
第２の発明によれば、周囲温度という使用環境も考慮して第２電解コンデンサの寿命を判定できるという効果がある。
【００１０】
第３の発明によれば、判定手段は、第２電解コンデンサの充電又は放電電圧値と時間との関係に基づいて第２電解コンデンサの寿命を判定したので、判定手段を簡易に構成できるという効果がある。
【発明を実施するための最良の形態】
【００１１】
実施の形態１．
本発明の一実施の形態を図１乃至図３によって説明する。図１は本発明の一実施の形態を示すエレベーター制御部に用いた電解コンデンサの寿命判断装置、図２は一実施の形態による基板に設けられた電解コンデンサの寿命判断装置の正面図、図３は図２に示す電解コンデンサの寿命判断装置を制御盤に収納した際の温度分布曲線(a)、電解コンデンサの寿命判断装置を制御盤に収納した側面図(b)である。
図１において、エレベーター１は、交流電源３から交流電圧を直流電圧に変換する直流電源変換手段としてのコンバータ５と、コンバータ５の脈流電圧を平滑化するコンデンサ７と、直流電圧を可変電圧・可変周波数の交流電源変換手段としてのインバータ９と、インバータ９によりシーブ１３を回転させるモータ１１とを備えている。
シーブ１３にロープ１７が掛けられており、ロープ１７の一端にかご室１５を固定し、ロープ１７の他端に釣合錘１９が固定されている。
【００１２】
さらに、インバータ９を冷却するＤＣファン３５を駆動するファン回路２０を有している。ファン回路２０は、交流電源３から直流電源を得るＡＣ−ＤＣ変換器２１と、ＡＣ−ＤＣ変換器２１の出力に接続されると共に、脈動電圧を平滑化させる第１電解コンデンサ２３，２５と、直流電圧を入力して、可変した直流電圧を得るＤＣ−ＤＣ変換器２６とを備えている。ＤＣ−ＤＣ変換器２６には、入力電圧をスイッチ２８により変成して出力する変成部２７と、該変成部２７の出力に接続されると共に、第１電解コンデンサ２３，２５よりも耐久性が劣る第２電解コンデンサ２９とを備えている。
【００１３】
第２電解コンデンサ２９には、第２電解コンデンサの寿命を、耐久性を示す指標に基づいて判定する判定器５０が接続されている。ここで、耐久性を示す指標の例として静電容量値の変化率、ｔａｎδ、漏れ電流があるが、判定器５０は静電容量値の変化率により判定する。つまり、判定器５０は、第２電解コンデンサ２９の耐久性を静電容量の変化率が±２５％以内か否かで判断するもので、第２電解コンデンサ２９の寿命が尽きたと判断すべき上記−２５％に相当する第１基準静電容量値と，上記＋２５％に相当すると共に第１基準静電容量値よりも高い第２基準静電容量値を予め記憶した記憶部５２と、第２電解コンデンサ２９にスイッチ２８が投入された充電時間に対応する第２電解コンデンサ２９の充電電圧を検出する電圧検出部５４と、上記充電時間と充電電圧との関係から静電容量値を求める静電容量値演算部５６と、求められた該静電容量値が第１基準静電容量値と第２基準静電容量値の範囲内か否かを判定すると共に、該範囲を超えていると異常信号を発生する判断部５８とを備えている。
【００１４】
基板１０１には、第１電解コンデンサ２３，２５と、該第１電解コンデンサ２３，２５よりも耐久性が悪い第２電解コンデンサ２９と、ＡＣ−ＤＣ変換器２１と、ＤＣ−ＤＣ変換器２６と、判定器５０とが実装されている。
【００１５】
制御盤２００内には図３(b)に示すように、基板１０１が縦方向に実装されている。制御盤２００内の温度分布は、図３(a)に示すように、上方ほど高くなっている。第１電解コンデンサ２９が第２電解コンデンサ２３,２５よりも周囲温度が高くなる位置に設けられている。
【００１６】
上記のように構成された電解コンデンサの寿命判断装置の動作を図１乃至図３を参照して説明する。まず、交流電源３からＡＣ−DC変換器２１により一定の直流電圧を出力し、第１電解コンデンサ２３，２５で脈動電圧を平滑化して変成部２７のスイッチ２８の開閉により第２電解コンデンサ２９を充放電する。
判定器５０の電圧検出部５４は、第２電解コンデンサ２９の充電時間と充電電圧とを検出し、静電容量値演算部５６は、上記充電時間と上記充電電圧とから第２電解コンデンサ２９の静電容量を求め、判断部５８は求められた該静電容量値が記憶部５２に記憶された第１基準静電容量値と第２基準静電容量値の範囲内か否かを判定し、該範囲を超えていると異常信号を発生する。かかる異常信号により第２電解コンデンサ２９が寿命に達したと判断できる。
【００１７】
上記のように制御盤内に実装された電解コンデンサの寿命判断装置によれば、エレベーターを制御に関係するファン回路２０を有し、該ファン回路２０を制御盤２００内に実装される第１電解コンデンサ２３,２５と、第１電解コンデンサ２３,２５よりも耐久性が劣る共に、制御盤２００内に実装される第２電解コンデンサ２９と、第２電解コンデンサ２９の寿命が尽きたか否かを判定する判定器５０とを備えたので、最も耐久性の劣る第２電解コンデンサ２９の寿命が尽きたことを判定することにより、すべての電解コンデンサの寿命を判定することなく、制御盤２００内の電解コンデンサの寿命を判定できる。
【００１８】
上記のように制御盤内に実装された電解コンデンサの寿命判断装置によれば、第２電解コンデンサ２９が第１電解コンデンサ２３,２５よりも周囲温度が高くなる位置に設けられており、検出部３３が第２電解コンデンサ２９の寿命を判定する。つまり、第１電解コンデンサ２３,２５よりも耐久性が劣ると共に、電解コンデンサが短命化する主たる要因となる周囲温度が高い位置に配置された第２電解コンデンサ２９の寿命を判断するので、第２電解コンデンサ２９の寿命を判断することにより他の第１電解コンデンサ２３,２５の寿命も判断できる。
【産業上の利用可能性】
【００１９】
本発明は、エレベーター制御部に用いられる電解コンデンサの寿命判断装置に適用できる。
【図面の簡単な説明】
【００２０】
【図１】本発明の一実施の形態を示すエレベーター制御部の全体図である。
【図２】本発明の一実施の形態による基板に設けられた電解コンデンサの寿命判断装置の正面図である。
【図３】図２に示す電解コンデンサの寿命判断装置を制御盤に収納した際の温度分布曲線(a)、電解コンデンサの寿命判断装置を制御盤に収納した側面図(b)である。
【符号の説明】
【００２１】
２３，２５  第１電解コンデンサ、２９  第２電解コンデンサ、５０  判定器(判定手段)、２００ 制御盤。
【図１】
2007204172.tif 000003
【図２】
2007204172.tif 000004
【図３】
2007204172.tif 000005